【手続補正書】
【提出日】平成16年4月20日(2004.4.20)
【手続補正１】
【補正対象書類名】明細書
【補正対象項目名】発明の名称
【補正方法】変更
【補正の内容】
【発明の名称】現像装置


【手続補正２】
【補正対象書類名】明細書
【補正対象項目名】特許請求の範囲
【補正方法】変更
【補正の内容】
【特許請求の範囲】
【請求項１】
現像剤を用いて、電子写真感光体に形成された潜像を現像するための現像装置において、
前記現像剤を収納するトナー収納容器と、
前記現像剤を用いて前記潜像を現像する現像ローラと、
前記現像ローラを支持する現像容器と、
前記トナー収納容器内の前記現像剤を前記現像容器へ供給するための開口部と、
前記開口部を開封可能に塞いでいるシール部材と、
前記シール部材を巻き取り開封するために前記シール部材の端部を係止した巻き取り装置と、
前記シール部材が前記シール部材巻き取り装置に巻き取られる際に、前記シール部材が通過するシール部材引き込み口と、
を有し、
前記トナー収納容器と前記現像容器は、前記開口部と前記シール部材引き込み口とを囲んで全周に亘って溶着されて結合していることを特徴とする現像装置。
【請求項２】
前記シール部材引き込み口の縁部に前記シール部材が摺動するＲ部を設け、且つ、Ｒ部に対向する縁部にトナー侵入防止部材を貼付したことを特徴とする請求項１に記載の現像装置。
【手続補正３】
【補正対象書類名】明細書
【補正対象項目名】０００１
【補正方法】変更
【補正の内容】
【０００１】
【発明の属する技術分野】
本発明は、静電式複写機、プリンタ等の電子写真画像形成装置の現像装置に現像剤を供給するために用いられる現像装置、更には画像形成装置本体に対して着脱されるプロセスカートリッジに備える現像装置に関する。


【手続補正４】
【補正対象書類名】明細書
【補正対象項目名】０００６
【補正方法】変更
【補正の内容】
【０００６】
本発明の目的は、プロセスカートリッジの開封時のトナー汚れを防止しうる現像装置を提供することにある。


【手続補正５】
【補正対象書類名】明細書
【補正対象項目名】０００７
【補正方法】変更
【補正の内容】
【０００７】
又、本発明の目的は、プロセスカートリッジのシール巻き取り装置の小型化、及びシール開封動作の簡単操作性を達成しうる現像装置を提供することにある。


【手続補正６】
【補正対象書類名】明細書
【補正対象項目名】０００８
【補正方法】変更
【補正の内容】
【０００８】
更に、本発明の目的は、プロセスカートリッジを開封した後の短手部のシール性確保、及び、トナー容器と現像容器の結合強度の大幅な向上を達成しうる現像装置を提供することにある。


【手続補正７】
【補正対象書類名】明細書
【補正対象項目名】０００９
【補正方法】変更
【補正の内容】
【０００９】
【課題を解決するための手段】
本発明の第１の発明は現像剤を用いて、電子写真感光体に形成された潜像を現像するための現像装置において、前記現像剤を収納するトナー収納容器と、前記現像剤を用いて前記潜像を現像する現像ローラと、前記現像ローラを支持する現像容器と、前記トナー収納容器内の前記現像剤を前記現像容器へ供給するための開口部と、前記開口部を開封可能に塞いでいるシール部材と、前記シール部材を巻き取り開封するために前記シール部材の端部を係止した巻き取り装置と、前記シール部材が前記シール部材巻き取り装置に巻き取られる際に、前記シール部材が通過するシール部材引き込み口と、を有し、前記トナー収納容器と前記現像容器は、前記開口部と前記シール部材引き込み口とを囲んで全周に亘って溶着されて結合していることを特徴とする現像装置である。


【手続補正８】
【補正対象書類名】明細書
【補正対象項目名】００１０
【補正方法】変更
【補正の内容】
【００１０】
本発明の第２の発明は前記シール部材引き込み口の縁部に前記シール部材が摺動するＲ部を設け、且つ、Ｒ部に対向する縁部にトナー侵入防止部材を貼付したことを特徴とする第１の発明に記載の現像装置である。


【手続補正９】
【補正対象書類名】明細書
【補正対象項目名】００３０
【補正方法】削除
【補正の内容】
【手続補正１０】
【補正対象書類名】明細書
【補正対象項目名】０１０９
【補正方法】変更
【補正の内容】
【０１０９】
【発明の効果】
（１）（１２）は本発明の効果、（１）（１２）以外は実施の形態の効果である。
以上の実施例より明らかなように、本発明によれば、
（１）シール部材巻き取り室を現像装置内に設け、トナー収納容器と現像容器の開口部とシール部材引き込み口とを囲繞して全周溶着することにより、シール部材を現像装置の外に引き抜かず、開封時のトナー汚れを完全に防止した現像装置を得ることができる。


【手続補正１１】
【補正対象書類名】明細書
【補正対象項目名】０１１０
【補正方法】変更
【補正の内容】
【０１１０】
又、シール巻き取り装置を大幅に小型化・簡素化することで、開封動作の簡単操作性、及びプロセスカートリッジのコンパクト化を達成した現像装置を得ることができる。


【手続補正１２】
【補正対象書類名】明細書
【補正対象項目名】０１１１
【補正方法】変更
【補正の内容】
【０１１１】
更に、トナー収納容器と現像容器の開口部とシール部材引き込み口を囲繞して全周溶着することによりプロセスカートリッジとして構成した場合において、短手部の開封後のトナーに対する密封を確実に行うことができ、又、トナー収納容器と現像容器の結合強度を大幅に向上した現像装置を得ることができる。
（２）シール開封機構を別室を設けて設置する場合はトナー収納容器又は現像容器のデッドスペースを利用することができ小型化に寄与する。
（３）シール開封機構が開封後のシール部材を外部に出さないよう別室内で開封すると、仮にシール部材がトナーで汚れていても現像装置外を汚すことがない。
（４）シール開封機構を別室内に設けた巻き取り軸とすること及びこの巻き取り軸を外部から回転するようにしたことにより、シール開閉機構が簡単なものとなる。
（５）巻き取り軸の駆動を紐で行うと、紐を引張る方向の範囲が広く選べるのでシール開封の操作性がよい。そして、引く方向にかかわらずシール部材は一定方向に引かれて巻き取られる。
（６）シール巻き取り軸から歯車列を介して紐で歯車列の駆動歯車を回転するようにすると紐に加える力と距離の割合を適宜に選べると共に紐を引き出し易い位置へ駆動歯車と同軸の巻き胴部を配置できる。
（７）紐の引き出し先に把手を設けると操作性が向上する。
（８）紐に代えて駆動歯車を回転体で回転するようにすると、シール部材開封操作が容易である。そして、操作する際、手を動かす範囲を小さくすることができる。
（９）回転体を駆動歯車に着脱できるようにすると、使用開始までの取扱時に回転体を回してしまうことが回避できる。
（１０）別室の一部が現像装置と別体であると巻き取り装置の組立性がよい。
（１１）別室へはシール引き込み口からシール部材を引き込むようにすると。シール部材の開封方向が一定する。
（１２）シール引き込み口の縁部にシール部材が摺動するＲ部を設けＲ部に対向する縁部にトナー侵入防止部材を設けると、シール部材の別室への引き込みが円滑で且つシール引き込み口の密封性がよい。
（１３）上記（１２）のトナー侵入防止部材を発砲ポリウレタンとすることにより好適な密封性能が得られ、シール部材の引き込み口における抵抗が小さい。
（１４）前記（１２）のシール部材の自由端幅より、前記シール部材引き込み口の幅が、片側０．５ｍｍ〜１．５ｍｍ広いことにすると好適である。
（１５）シール部材が、シール後の引き裂き方向に一軸延伸された、引き裂き方向性を備えたシール部材であると開封強度が小さく好適な開封作用が行われる。
（１６）シール部材が、一軸延伸された基材とシーラント層から成るカバーフィルムと、そのカバーフィルムの長手方向に対し、直角方向の接着部よりも幅が狭く、一方の端部が把手部に該当する自由端を有した基材とシーラント層を備えたテアテープから成ることにより好適な開封作用が行われる。
（１７）前記シール部材が開口幅規制板にシールされ、更にトナー収納容器のシールされた開口幅規制板をトナー収納容器の開口部と合体させたことにより、シール部材の貼り付け部材質を選択できる。このため、密封性を保ちつつシール部材を引きはがし易くできる。
（１８）前記シール部材がトナー収納容器に熱圧着され、更にトナー収納容器の熱圧着部が現像容器との溶着部よりも１．０ｍｍ〜２．０ｍｍ低いことにより、シール部材の引き出しが円滑に行われる。
（１９）シール部材が可撓性シートと前記可撓性シートの前記開口部の側に設けられた弾性体シートとからなり、トナー収納容器と現像容器とで挟持されていることにより、開口部の密封を組立てのみにて行うことができる。
（２０）前記（１９）における可撓性シートの材質が、ポリエステル、延伸ポリプロピレン、ナイロン、ポリエチレン、ポリスチレン、ＡＢＳ等の合成樹脂であることにより好適な結果を得る。
（２１）前記（１９）におけ弾性体シートの材質が、シリコーン、ウレタン等のゴム、低発砲ポリウレタンゴム、あるいはスポンジであることにより好適な結果を得る。
（２２）上記の各々はプロセスカートリッジに適用して格別に好適である。